【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
１包毎に手撒きする錠剤を投入する錠剤マスを備える薬剤包装装置と通信可能に接続される制御コンピュータであって、
複数の服用時を識別可能なように、前記複数の服用時毎に固有な配色をそれぞれ対応づけた服用時配色データを記憶する服用時配色記憶手段と、
前記錠剤マスの中で、手撒きする錠剤を投入すべきマス配列を案内する錠剤マスエリアを表示する錠剤マスエリア表示手段と、
前記錠剤マスエリアの表示要求を受け付ける画面表示要求受付手段と、
手撒きする錠剤の服用時を設定する服用時設定手段と、
前記表示要求に応じて、前記マス配列を、前記設定されている服用時にそれぞれ対応する前記複数の服用時毎の固有な配色に色分けして表示する区分表示制御手段と、
を備えることを特徴とする制御コンピュータ。
【請求項２】
前記錠剤マスエリアを表示している手撒き錠剤ガイダンス画面内に前記錠剤マスエリアに手撒きする錠剤名を一覧表示する錠剤名表示手段をさら備えることを特徴とする請求項１に記載の制御コンピュータ。
【請求項３】
前記錠剤マスエリアのマス内には、前記錠剤名表示手段が一覧表示している錠剤名にそれぞれ対応する錠剤のアイコンを表示する錠剤アイコン表示手段と、
前記錠剤名表示手段の錠剤名の一覧表示から、錠剤名を選択させる錠剤名選択手段と、
をさらに備え、
前記錠剤名選択手段により錠剤名が選択された場合には、前記錠剤マスエリアのマス内に前記錠剤名毎の錠剤のアイコンを表示したままで、前記複数の服用時毎に色分けして表示した固有な配色を消去するように、前記区分表示制御手段が表示制御することを特徴とする請求項２に記載の制御コンピュータ。
【請求項４】
前記設定されている服用時中の１つの服用時に、服用が開始される時点が関連づけて記憶され、
前記区分表示制御手段が前記複数の服用時毎の固有な配色に色分けして表示する場合に、前記服用が開始される時点と関連づけた１つの服用時に対応する前記複数の服用時毎の配色がはじめに包装されるマス配列になるように、前記設定されている服用時にそれぞれ対応する前記複数の服用時毎の固有な配色の並びを替える配色並替手段と、
をさらに備えることを特徴とする請求項１乃至請求項３のいずれか1項に記載の制御コンピュータ。
【請求項５】
前記表示される錠剤マスエリアにおいて、前記服用時配色データにより固有な配色にそれぞれ対応づけられている服用時の名称を前記マス配列の近傍に表示する服用時名称表示手段と、
をさらに備えることを特徴とする請求項１乃至請求項４のいずれか1項に記載に記載の制御コンピュータ。
【請求項６】
前記複数の服用時毎に固有な配色を、ユーザ所望の配色群から指定する配色指定手段と、
前記指定されたユーザ所望の配色を、前記複数の服用時毎に固有な配色をそれぞれ対応づけた前記服用時配色データに登録する服用時配色登録手段と、
をさらに備えることを特徴とする請求項１乃至請求項５のいずれか１項に記載の制御コンピュータ。
【請求項７】
１包毎に手撒きする錠剤を投入する錠剤マスを備える薬剤包装装置と通信可能に接続される制御コンピュータの制御方法であって、
前記制御コンピュータは、
複数の服用時を識別可能なように、前記複数の服用時毎に固有な配色をそれぞれ対応づけた服用時配色データを記憶する服用時配色記憶手段を備え、
前記制御コンピュータの錠剤マスエリア表示手段が、前記錠剤マスの中で、手撒きする錠剤を投入すべきマス配列を案内する錠剤マスエリアを表示する錠剤マスエリア表示工程と、
前記制御コンピュータの画面表示要求受付手段が、前記錠剤マスエリアの表示要求を受け付ける画面表示要求受付工程と、
前記制御コンピュータの服用時設定手段が、手撒きする錠剤の服用時を設定する服用時設定工程と、
前記制御コンピュータの区分表示制御手段が、前記表示要求に応じて、前記マス配列を、前記設定されている服用時にそれぞれ対応する前記複数の服用時毎の固有な配色に色分けして表示する区分表示制御工程と、
を含むことを特徴とする制御方法。
【請求項８】
１包毎に手撒きする錠剤を投入する錠剤マスを備える薬剤包装装置と通信可能に接続される制御コンピュータで読み取り実行可能なプログラムであって、
前記制御コンピュータを、
複数の服用時を識別可能なように、前記複数の服用時毎に固有な配色をそれぞれ対応づけた服用時配色データを記憶する服用時配色記憶手段と、
前記錠剤マスの中で、手撒きする錠剤を投入すべきマス配列を案内する錠剤マスエリアを表示する錠剤マスエリア表示手段と、
前記錠剤マスエリアの表示要求を受け付ける画面表示要求受付手段と、
手撒きする錠剤の服用時を設定する服用時設定手段と、
前記表示要求に応じて、前記マス配列を、前記設定されている服用時にそれぞれ対応する前記複数の服用時毎の固有な配色に色分けして表示する区分表示制御手段と、
として機能させることを特徴とするプログラム。
【手続補正２】
【補正対象書類名】明細書
【補正対象項目名】発明の名称
【補正方法】変更
【補正の内容】
【発明の名称】制御コンピュータ、及びその制御方法とプログラム。
【手続補正３】
【補正対象書類名】明細書
【補正対象項目名】０００１
【補正方法】変更
【補正の内容】
【０００１】
制御コンピュータ、及びその制御方法とプログラムに関する。
【手続補正４】
【補正対象書類名】明細書
【補正対象項目名】０００８
【補正方法】変更
【補正の内容】
【０００８】
本発明は、１包毎に手撒きする錠剤を投入する錠剤マスを備える薬剤包装装置と通信可能に接続される制御コンピュータであって、複数の服用時を識別可能なように、前記複数の服用時毎に固有な配色をそれぞれ対応づけた服用時配色データを記憶する服用時配色記憶手段と、前記錠剤マスの中で、手撒きする錠剤を投入すべきマス配列を案内する錠剤マスエリアを表示する錠剤マスエリア表示手段と、前記錠剤マスエリアの表示要求を受け付ける画面表示要求受付手段と、手撒きする錠剤の服用時を設定する服用時設定手段と、前記表示要求に応じて、前記マス配列を、前記設定されている服用時にそれぞれ対応する前記複数の服用時毎の固有な配色に色分けして表示する区分表示制御手段と、を備えることを特徴とする。
【手続補正５】
【補正対象書類名】明細書
【補正対象項目名】０００９
【補正方法】変更
【補正の内容】
【０００９】
また、前記錠剤マスエリアを表示している手撒き錠剤ガイダンス画面内に前記錠剤マスエリアに手撒きする錠剤名を一覧表示する錠剤名表示手段をさら備えることを特徴とする。
【手続補正６】
【補正対象書類名】明細書
【補正対象項目名】００１０
【補正方法】変更
【補正の内容】
【００１０】
また、前記錠剤マスエリアのマス内には、前記錠剤名表示手段が一覧表示している錠剤名にそれぞれ対応する錠剤のアイコンを表示する錠剤アイコン表示手段と、前記錠剤名表示手段の錠剤名の一覧表示から、錠剤名を選択させる錠剤名選択手段と、をさらに備え、前記錠剤名選択手段により錠剤名が選択された場合には、前記錠剤マスエリアのマス内に前記錠剤名毎の錠剤のアイコンを表示したままで、前記複数の服用時毎に色分けして表示した固有な配色を消去するように、前記区分表示制御手段が表示制御することを特徴とする。
【手続補正７】
【補正対象書類名】明細書
【補正対象項目名】００１１
【補正方法】変更
【補正の内容】
【００１１】
また、前記設定されている服用時中の１つの服用時に、服用が開始される時点が関連づけて記憶され、前記区分表示制御手段が前記複数の服用時毎の固有な配色に色分けして表示する場合に、前記服用が開始される時点と関連づけた１つの服用時に対応する前記複数の服用時毎の配色がはじめに包装されるマス配列になるように、前記設定されている服用時にそれぞれ対応する前記複数の服用時毎の固有な配色の並びを替える配色並替手段と、をさらに備えることを特徴とする。
【手続補正８】
【補正対象書類名】明細書
【補正対象項目名】００１２
【補正方法】変更
【補正の内容】
【００１２】
また、前記表示される錠剤マスエリアにおいて、前記服用時配色データにより固有な配色にそれぞれ対応づけられている服用時の名称を前記マス配列の近傍に表示する服用時名称表示手段と、をさらに備えることを特徴とする。
また、前記複数の服用時毎に固有な配色を、ユーザ所望の配色群から指定する配色指定手段と、前記指定されたユーザ所望の配色を、前記複数の服用時毎に固有な配色をそれぞれ対応づけた前記服用時配色データに登録する服用時配色登録手段と、をさらに備えることを特徴とする。